(57)【要約】【目的】  ノック式に筆記部の出没操作を行う筆記用具において、そのノック式操作を利用して附属させたキャラクター部材の可動部を小刻みに振動させ且つ笛部材による擬音発生を可能とする。【構成】  筆記軸３側方の操作部４を上下に動かして筆記部２を出没操作するボールペンやシャープペンシルといった筆記用具１において、該操作部４の上下動作をギア９に伝達し該ギア９の回転をカム部材１０で受けて複数回の小刻みな上下動作に変換し、該動作を筆記軸３上部に取付けたキャラクター部材５の可動部６、６ａを小刻みに振動させるように伝達すると共に、操作部４の上下動作を筆記軸３内に備付けたシリンダー１３のピストン１４に伝達してシリンダー１３内の空気を噴出せしめて笛部７により音を発する。【選択図】      図１
0003104308.tif 000002
【実用新案登録請求の範囲】
【請求項１】
筆記軸側方の操作部を上下に動かして筆記部を出没操作するボールペンやシャープペンシルといった筆記用具において、該操作部の上下動作をギアに伝達し該ギアの回転をカム部材で受けて複数回の小刻みな上下動作に変換し、該動作を筆記軸上部に取付けたキャラクター部材の可動部を小刻みに振動させるように伝達すると共に、操作部の上下動作を筆記軸内に備付けたシリンダーのピストンに伝達してシリンダー内の空気を噴出せしめて笛部により音を発するものとしていることを特徴とするキャラクター可動部を振動させると共に笛による音を出す筆記用具。
【考案の詳細な説明】
【技術分野】
【０００１】
本考案は、ボールペンやシャープペンシルといった筆記部を出没操作して使用する筆記用具について、出没操作の動作を利用して備付けたキャラクター部材の可動部を小刻みに振動させると同時に、備付けた笛部から音を出させることを提案するものである。
【背景技術】
【０００２】
筆記部を出没操作するものにおいて様々なアクセサリーなどを附属させることは広く行われているところである。
【０００３】
すなわち、マスコットキャラクター部材を筆記軸に備え付けさせたり、それに適当な可動部材を組合わせて需要者の興味を惹くように配慮したものが多数市販されている。
【０００４】
このような可動するマスコットキャラクターを備えた筆記用具の中で動作と音と光といった複合的な可動変化を実現したものに関する文献としては以下に示すようなものが存在している。
【特許文献１】実用新案登録第３０９８９５４号公報
【考案の開示】
【考案が解決しようとする課題】
【０００５】
しかし、上記したような既存のものの場合には、筆記軸に附属したマスコットキャラクターの可動部を操作部への操作動作を利用して可動変化させるとしてもシンプルな動きを単一なものとして実現するものが殆どであり、複合的な動きを実現しているとしても、1つのノック操作を利用して小刻みな振動のような動きを実現したり、さらに複合的に空気の流れを利用して笛を鳴らすといったようなものは存在していなかった。
【課題を解決するための手段】
【０００６】
本考案は、上記したような既存品の課題を検討し創案されたものであって、ギアの動作とカムの動きを組合わせて筆記部操作のノック動作に起因した小刻みな振動動作をマスコットキャラクターの可動部へ与え、併せてシリンダーを介した空気の流動により笛を鳴らして発音する機能をも備えた筆記用具を提案するものであり、具体的には以下の如くである。
【０００７】
（１）筆記軸側方の操作部を上下に動かして筆記部を出没操作するボールペンやシャープペンシルといった筆記用具において、該操作部の上下動作をギアに伝達し該ギアの回転をカム部材で受けて複数回の小刻みな上下動作に変換し、該動作を筆記軸上部に取付けたキャラクター部材の可動部を小刻みに振動させるように伝達すると共に、操作部の上下動作を筆記軸内に備付けたシリンダーのピストンに伝達してシリンダー内の空気を噴出せしめて笛部により音を発するものとしていることを特徴とするキャラクター可動部を振動させると共に笛による音を出す筆記用具。
【実施例】
【０００８】
上記したような本考案品の１例を、添付図面を用いて説明すると以下の如くである。
すなわち、図１は、本考案による筆記用具１の外観を示している。ここで、筆記部２は筆記軸３の側面にクリップ部と兼用するものとして備え付けられた出没操作部４をノック操作することで使用可能なものとなる。
【０００９】
筆記軸３の上部には卵形状を模したキャラクター部材５が取付けられており、卵形状下部から雛鳥の足が飛出し、卵形状上部が更に割れようとする状況を示すようにデザインされている。
【００１０】
上記したように、出没操作部４を上下にノック操作すると筆記軸３の下端部から筆記部２が出没するが、本考案では、該ノック操作によって筆記部２の出没操作と同時に上記の雛鳥の足と卵形状上部が可動部６、６ａとして、一回のノック操作につき数回ずつ上下に小刻みな振動動作を行うように構成されている。
【００１１】
本考案においては更に、同じ一回のノック操作に起因して筆記用具１内に空気の流れを生み出し、それを利用して内蔵した笛部材７をを鳴らすものとし、図示の場合には「ピヨピヨ」という雛鳥の鳴き声の擬音が発生するように構成されている。
【００１２】
このように、本来は筆記部２の出没操作を行うための操作部４に対するノック操作に起因して、可動部６、６ａの小刻みな振動動作と笛部材７による擬音発生が同時且つ複合的に実現されることが本考案における大きな特徴になっているものであるが、この特徴を実現するための内部構成の１例を示したのが図２である。
【００１３】
すなわち、図２はこのような複合的動作を実現するための構造を内蔵している本考案による筆記用具１の筆記軸３の上半分部、及びキャラクター部材５の内部構造を透視図的に示したものである。図２（ａ）（ｂ）はノック操作部４を下方にノック操作する前、（ｃ）（ｄ）は下方に操作した後の状態を示す。ノック操作部４から指を離すとスプリング８によって操作部４は上方に復帰する。
【００１４】
可動部６、６ａを上下に小刻みな振動動作させる関係については、ノック操作部４を下方に押し下げるとそれがギア９の回転運動として伝達され、さらにそれが該ギア９の回転運動を受けるカム部材１０の複数回の小刻みな上下の振動動作に変換されるものである。この小刻みな振動動作はそのままキャラクター部材５内の突部１１の上下運動として伝達され、該突部１１が可動部６の端部１２を連続的に上下に揺すって一回のノック操作に起因した複数回の振動動作が実現するのである。
【００１５】
卵形状上部の可動部６ａについても、カム部材１０により発生した上下振動をそのまま伝達することで小刻みな上下振動動作が該部分において実現することが可能であると理解される。
【００１６】
また、笛部材７による擬音発生については、同じくノック操作部４を押し下げることでシリンダー１３のピストン１４も下方に移動し、それによりシリンダー１３内に空気が流れ込むことを利用し、該空気の流れを笛部材７に通す構造とすることで実現されている。スプリング８によりノック操作部４が上方に復帰する際にピストン１４も上方に戻り逆方向の空気の流れが形成されるが、これによっても笛部材７が鳴って擬音を発生するようにしておくことが好ましい。
【００１７】
以上説明したように本考案によれば、ノック操作に起因して筆記部の出没操作をするばかりでなく、附属キャラクター部材の可動部を小刻みに振動動作させ且つ空気流を利用した笛部材による擬音発生を同時に実現することができ、従来にない可動変化を与えて需要者の興味を惹き購買意欲を刺激する新たな商品展開を図ることが可能となるものであり、産業上の利用可能性において優れた考案であると理解される。
【図面の簡単な説明】
【００１８】
【図１】本考案による筆記用具の１例についてその外観を示した図面である。
【図２】本考案特有の可動動作を実現する構成関係の１例を透視図的に示した図面である。
【符号の説明】
【００１９】
１    筆記用具
２    筆記部
３    筆記軸
４    ノック操作部
５    キャラクター部材
６    雛鳥の足形状の可動部
６ａ  卵の上端部形状の可動部
７    笛部材
８    スプリング
９    ギア
１０    カム部材
１１    突部
１２    端部
１３    シリンダー
１４    ピストン
【図１】
0003104308.tif 000003
【図２】
0003104308.tif 000004